(57)【要約】      （修正有）【課題】テニスボールを使用して、使用者の身体に押し当ててマッサージを行う場合、簡単な器具でテニスボールを固定し、高さおよびテニスボールの間隔を調整し、複数のテニスボールを同時に使用できるようなマッサージ器具を提供する。【解決手段】テニスボール２を使用して、マッサージ器具１の開口部にテニスボール２の一部を嵌合し、テニスボール２のずれを防止する。詳細説明としては、マッサージ器具１は基板の一面を設けた開口部には、適宜深さがあり底部が設けてあり、底部には開口部の内径より小さい内径のほかの開口部が設けてある。またマッサージ器具１には少なくとも一対となる相隣る開口部は、両開口部にテニスボール２が互いに当接することなく、その一部を嵌合し得る寸法だけ隔ててある。また相隣る３つの開口部は連通させてあり、各開口部の中心位置は各開口部の内の両端の開口部にテニスボール２が互いに当接することなくその一部を嵌合し得る寸法だけ相互に隔ててある。【選択図】図５
0003200890.tif 000002
【実用新案登録請求の範囲】
【請求項１】
テニスボールを使用して、使用者の身体に押し当ててマッサージを行うようになしてあり、テニスボールが転がらないよう、基板の一面又は両面に複数の開口部が列をなして設けてあり、少なくとも２つの開口部にそれぞれのテニスボールの一部を嵌合させて、両テニスボールを使用者の身体に押し当てて、マッサージを行うように構成してあることを特徴とするマッサージ器具。
【請求項２】
前記基板の一面を設けた開口部には、適宜深さがあり底部が設けてあり、該底部には前記開口部の内径より小さい内径のほかの開口部が設けてある請求項１記載マッサージ器具。
【請求項３】
少なくとも一対となる相隣る開口部は、両開口部にテニスボールが互いに当接することなく、その一部を嵌合し得る寸法だけ隔ててある請求項１又は２のマッサージ器具。
【請求項４】
相隣る３つの開口部は連通させてあり、各開口部の中心位置は各開口部の内の両端の開口部にテニスボールが互いに当接することなくその一部を嵌合し得る寸法だけ相互に隔ててある請求項１から３のいずれかに記載のマッサージ器具。
【請求項５】
請求項１から４いずれか記載のマッサージ器具とテニスボールとを備えるマッサージセット。
【考案の詳細な説明】
【技術分野】
【０００１】本考案は、使用者の身体に押し当ててマッサージを行う器具に関する。
【背景技術】
【０００２】従来の方法では、テニスボールを床または畳の上に置いて、身体に当たるようマッサージを行っていたが、テニスボールが不安定のため転がりやすく、布団または座布団の上に置いてマッサージを行っていた。【０００３】近似した先行事例として、特許文献１では円状の凹部または棒状の凹部にゴルフボールを入れて、足の裏をマッサージするという構造。
【先行技術文献】
【特許文献】
【０００４】
【特許文献１】実用新案登録第３１３５５０６号公報
【考案の概要】
【考案が解決しようとする課題】
【０００５】従来の方法では、テニスボールが転がるため、マッサージが実施しにくいという課題。【０００６】近似した先行事例は、両面に異なった開口部がないため、テニスボールの高さ調整ができないという課題。【０００７】また、複数のテニスボールを同時に使用してマッサージをすることができないという点が課題。
【課題を解決するための手段】
【０００８】  テニスボールを使用して、使用者の身体に押し当ててマッサージを行うようになしてあり、テニスボールが転がらないよう、基板の一面又は両面に複数の開口部が列をなして設けてあり、少なくとも２つの開口部にそれぞれのテニスボールの一部を嵌合させて、両テニスボールを使用者の身体に押し当てて、マッサージを行うように構成してあることを特徴とする。【０００９】上記の考案において、基板の一面を設けた開口部には、適宜深さがあり底部が設けてあり、該底部には前記開口部の内径より小さい内径のほかの開口部が設けてある構成である。【００１０】また上記の考案において、少なくとも一対となる相隣る開口部は、両開口部にテニスボールが互いに当接することなく、その一部を嵌合し得る寸法だけ隔ててある構成である。【００１１】また上記の考案において、相隣る３つの開口部は連通させてあり、各開口部の中心位置は各開口部の内の両端の開口部にテニスボールが互いに当接することなくその一部を嵌合し得る寸法だけ相互に隔ててある構成である。【００１２】また上記の考案において、マッサージ器具とテニスボールとを備えるマッサージセットである。
【考案の効果】
【００１３】よって、テニスボールが転がらず、一面または両面でテニスボールの高さを調整することができ、当たり強さを調節することができるようになる。【００１４】２つ以上のテニスボールを使用する場合、好みの間隔を自分で選ぶことができるようになる。
【図面の簡単な説明】
【００１５】
【図１】本考案にテニスボールを置いた場合の平面図
【図２】本考案にテニスボールを置いた場合の断面図
【図３】本考案の平面図
【図４】本考案の底面図
【図５】本考案の実施例としての説明図
【考案を実施するための形態】
【００１６】本考案のマッサージ器具について図面を参照して説明する。
【００１７】なお、以下に示す実施の形態は、本考案を具体化するための一つの例を示すものであって、本考案の構成をこれに限定するものではない。また、実施の形態に記載されている構成部品の寸法、材質、形状、相対的配置等は特定的な記載がない限りは本考案の範囲をそれのみに限定する趣旨ではなく、単なる説明例に過ぎない。
【００１８】本考案のマッサージ器具１は図２又は図３のように基板およびテニスボール２から構成されており、基板の一面に７つの開口部があり、その開口部の少なくとも２つにテニスボール２の一部を嵌合させるよう構成されている。
【００１９】基板の大きさはテニスボール２が少なくとも２つ以上使用できる大きさを有する大きさが必要である。例えば１００〜４００ｍｍの長さを有し、幅３０〜８０ｍｍ、高さ６〜２０ｍｍ又は開口部の直径２０〜５５ｍｍとする形状の基板が望ましいと思われる。ただし、形状については、例えば正方形、長方形、三角形、円形、多角形であったとしても制限しない。
【００２０】テニスボール２のサイズは国際テニス連盟で規定されている直径６５．４〜６８．６ｍｍとされているため、平均直径を６７．０ｍｍとする。直径６７．１ｍｍ以上のテニスボール２は使用しないことが望ましい。よってマッサージ器具１の基板の長さが１００ｍｍ未満の場合はテニスボール２を２つ並べることができないため、最低でも１００ｍｍの長さが必要。幅又は高さには制限はない。
【００２１】開口部の直径は上記で記載した国際テニス連盟で規定されたテニスボールのサイズ平均直径６７．０ｍｍより大きい場合はテニスボールが貫通するため、６７．０ｍｍを超える開口部は不要である。
【００２２】本考案のマッサージ器具１は図３では開口部が１列で図示してあるが、１列とは限らなくてもよい。
【００２３】本考案のマッサージ器具１の素材は、プラスチック材料を利用し、例えばポリプロピレン（ＰＰ）、ポリエチレン（ＰＥ）、エチレン酢酸ビニルコポリマー（ＥＶＡ）、ＡＢＳ樹脂、ポリスチレン（ＰＳ）等の熱可塑性プラスチック材料が挙げられる。プラスチック以外の素材を使用してもかまわない。
【００２４】本考案のマッサージ器具１は図３のように基板の一面に設けた開口部直径４０〜５５ｍｍには、図２のように深さが３〜１０ｍｍであり、底部が設けてある。その該底部には前記開口部の内径より小さい内径２０〜４０ｍｍのほかの開口部が設けてある。
【００２５】本考案のマッサージ器具１の少なくとも一対となる相隣る開口部は１つの開口部の中心から一対の開口部の中心までの距離が６８〜８０ｍｍある。これは、少なくとも２つ以上のテニスボール２が互いに当接することなくその一部を嵌合し得る寸法だけ隔ててある望ましい寸法である。しかし、８０ｍｍ以上の寸法でも制限はしない。
【００２６】本考案のマッサージ器具１は図３のように、相隣る３つの開口部の内の相隣る２つの開口部の中心距離は３４〜４０ｍｍで連通させてある。又、相隣る３つの開口部の各開口部の内の両端の開口部の中心位置は６８〜８０ｍｍの間隔となり、テニスボール２が互いに当接することなくその一部を嵌合し得る寸法だけ相互に隔ててある。ただし、４つ以上の開口部の連通でも制限は設けない。また相隣る３つの開口部の中心が３４〜４０ｍｍ以外の間隔でも制限を設けない。
【００２７】本考案のマッサージ器具１はテニスボール２と共にセットとなるものである。また、それ以外の付属品をつけてもよい。
【００２８】これより使用実例について説明する。
【００２９】本考案のマッサージ器具１は図１又は図２のように、一面ある開口部に少なくとも２つ以上テニスボール２の一部を嵌合させ、図５のように使用者の首、背中、および腰等への押し当てて使用するものである。
【００３０】マッサージ器具１の開口部の小さい側である図４に、テニスボール２を置いた場合は、使用者の首、背中、および腰等への当たり強さが強い傾向があり、開口部の大きい側へテニスボール２を置いた場合は、使用者の首、背中、および腰等への当たり強さが弱い傾向がある。ただし、絶対的ではない。
【００３１】マッサージ器具１の開口部に少なくとも２つ以上のテニスボール２を置くことで、同時に使用者の首、背中、および腰等の２箇所以上に押し当てることができる。また、使用者の好みの間隔で使用できる。
【００３２】２つ以上のテニスボール２を置いたマッサージ器具１を少なくとも２つ以上使用し、使用者の首、肩、腰等を同時にマッサージすることも可能である。
【００３３】マッサージ器具１は角部に丸みを帯びたＲ加工を施しているため、マッサージ器具の基板の角部を利用して、使用者の首、背中、および腰等を直接または当て布等を敷き間接的にマッサージすることも可能である。ただし、強さの調節は自身で行うこととする。
【００３４】保管の場合、マッサージ器具１の開口部を利用し、フックおよび釘等に引っ掛けて、壁および柱などにかけておくことも可能である。
【００３５】本考案のマッサージ器具１は、プラスチックで構成されているので、繰り返し使用が可能である。
【符号の説明】
【００３６】１．マッサージ器具
２．テニスボール
３．使用者
【図１】
0003200890.tif 000003
【図２】
0003200890.tif 000004
【図３】
0003200890.tif 000005
【図４】
0003200890.tif 000006
【図５】
0003200890.tif 000007